(57)【特許請求の範囲】
【請求項１】
電源装置から供給される電力を複数の負荷装置に分配する電流分配装置において、過電流防止用のヒューズと、前記ヒューズと直列に接続される断路器と、少なくとも前記ヒューズと前記ヒューズの接続端子を覆うヒューズカバーと、前記断路器の操作と連動し前記ヒューズカバーの開閉に係るロックとアンロックを行うロックカバーとから構成されるヒューズ操作パネルにおいて、
前記ヒューズ、前記断路器、前記ヒューズカバー、前記ロックカバーが板状部材に取り付けられており、前記ヒューズカバーが前記板状部材に対しヒンジで接続され、前記ヒンジを中心に回転して開閉できるカバーであり、前記ロックカバーが前記板状部材上で前記断路器の操作と連動してスライド可能に取り付けられ、前記断路器がONの時に、前記ロックカバーが前記ヒューズカバーを覆って前記ヒューズカバーが閉じた状態に保持し、前記断路器がOFFの時に、前記ロックカバーをスライドさせ、前記ヒューズカバーを開くことが可能になることを特徴とするヒューズ操作パネル。
【請求項２】
請求項１に記載のヒューズ操作パネルを有する電流分配装置。
【請求項３】
請求項２記載の電流分配装置を有する給電システム。
【発明の詳細な説明】
【技術分野】
【０００１】
本発明は、複数の負荷装置へ電力を分配する電流分配装置において、ヒューズ交換を安全に行うためのインターロック機構に関する。
【背景技術】
【０００２】
【特許文献１】特開昭60-39319号公報
【０００３】
電流分配装置の基本的構成を図１に示す（特許文献１）。電流分配装置３は電源装置１の出力を複数の負荷装置２へ分配するための分岐装置である。図４は、従来の電流分配装置の操作パネルの外観図である。電流分配装置３には、複数の操作パネル４が搭載されている。それぞれの操作パネル４は、一部の負荷装置２の電力給電系統上の装置故障や短絡が他の負荷装置２の給電系統へ波及するのを防止するために、異常系統を速やかに回路から遮断するためのヒューズ５と断路器６が直列に接続された回路を備えている。断路器６は、ヒューズ５とヒューズ取付け金具７を無電圧にし、ヒューズ交換を安全に行うためのスイッチである。
【０００４】
従来の操作パネル４の構造を、図４を用いて詳しく説明する。操作パネル４は図1における回路を遮断するヒューズ５と、安全にヒューズ交換を行うためにヒューズ５と直列に接続される断路器６と、ヒューズ５ならびにヒューズ取り付け金具７との接触を防止するためのヒューズカバー９、ならびに、断路器６の誤操作を防ぐための断路器カバー１１から構成されている。
換作パネル４からヒューズ５を取り外すには、まず、断路器カバー取付けネジ１２を外し、断路器カバー１１を外したあと、断路器６をOFFにし、断路器６を誤ってONにできないように、再度、断路器カバー１１を断路器カバー取付けネジ１２で固定する。次に、ヒューズカバー取付けネジ１０を外し、ヒューズカバー９を取り外した後、ヒューズ取り付けボルト８を緩めヒューズ５の取り外しを行う。
操作パネル４へヒューズ５を取り付けるには、操作パネル４上のヒューズカバー９と断路器カバー１１を取り外した状態から、断路器６をOFFにし、ヒューズ取付け金具７間を無電圧にした後、断路器６の誤操作防止のために断路器カバー１１を断路器カバー取付けネジ１２で固定する。次に、ヒューズ取付け金具７にヒューズ５をヒューズ取付けボルト８で固定した後、断路器カバー取付けネジ１２を外して、断路器カバー１１を取り外し、断路器６をONにし、断路器カバー１１を断路器カバー取付けネジ１２で固定する。
【発明の開示】
【発明が解決しようとする課題】
【０００５】
従来技術による電流分配装置では、ヒューズ交換の手順が複雑なため、操作手順を間違えやすいという問題があった。ヒューズ取付け金具間に電圧がかかっている状態で、ヒューズ交換を行う操作ミスにより、感電や短絡を誘発する危険性があった。
【課題を解決するための手段】
【０００６】
本発明（１）は、電源装置から供給される電力を複数の負荷装置に分配する電流分配装置において、過電流防止用のヒューズと、前記ヒューズと直列に接続される断路器と、少なくとも前記ヒューズと前記ヒューズの接続端子を覆うヒューズカバーと、前記断路器の操作と連動し前記ヒューズカバーの開閉に係るロックとアンロックを行うロックカバーとから構成されるヒューズ操作パネルにおいて、
前記ヒューズ、前記断路器、前記ヒューズカバー、前記ロックカバーが板状部材に取り付けられており、前記ヒューズカバーが前記板状部材に対しヒンジで接続され、前記ヒンジを中心に回転して開閉できるカバーであり、前記ロックカバーが前記板状部材上で前記断路器の操作と連動してスライド可能に取り付けられ、前記断路器がONの時に、前記ロックカバーが前記ヒューズカバーを覆って前記ヒューズカバーが閉じた状態に保持し、前記断路器がOFFの時に、前記ロックカバーをスライドさせ、前記ヒューズカバーを開くことが可能になることを特徴とするヒューズ操作パネルである。
【０００８】
本発明（２）は、前記発明（１）のヒューズ操作パネルを有する電流分配装置である。
【０００９】
本発明（３）は、前記発明（２）の電流分配装置を有する給電システムである。
【発明の効果】
【００１０】
電流分配装置の換作パネル上のヒューズとヒューズ取付け金具を覆うヒューズカバーにインターロック機能を設けることにより、ヒューズに直列に接続される断路器がONの時には、ヒューズカバーを開けられないようにした。ヒューズカバーが開いている時は断路器をOFFからONに切替えることができなくなり、ヒューズ交換時の誤操作による感電や短絡の危険性が無くなり、電流分配装置のヒューズ交換がより安全に行えるようになる。
【発明を実施するための最良の形態】
【００１１】
本発明の電流分配装置は、操作パネル上に取り付けられた、ヒューズと断路器を保護する部材の構造に特徴がある。本発明に係る操作パネルは、過電流を検出し、電源装置と負荷装置を遮断するためのヒューズと、ヒューズ交換時にヒューズへの給電を停止し、安全に交換作業を行うための断路器と、通常使用時にヒューズへの接触事故を防止するためのヒューズカバーと、ヒューズ交換時に断路器をOFFに保持するためのインターロックとして機能するロックカバーとから構成される。ヒューズ交換のためにヒューズカバーを開ける時は、ロックカバーが断路器と連動して断路器をOFFに保持する。電流分配装置に通電するために断路器をONにする時は、ヒューズカバーを閉じて、ヒューズカバーをロックカバーによりロックする。
【００１２】
（操作パネルの具体例）
図２に、本発明による操作パネルの具体例を示す。図２に示す操作パネル４は、パネル天板１６、ヒューズ５、断路器６、ヒューズカバー９、ロックカバー１３から構成される。ヒューズカバー９とロックカバー１３は、パネル天板１６に取り付けて使用するが、各部品の配置がわかりやすいように、図２では、ヒューズカバー９とロックカバー１３を取外した場合の外観図を示す。
ヒューズ５は、パネル天板１６にヒューズ取付け金具７とヒューズ締め付けボルト８により取り付けられている。ヒューズ５に隣接して、断路器６がパネル天板１６に取り付けられている。断路器６は操作バーを一方に倒した時にONになり、もう一方に倒した時にOFFになるスイッチである。具体例に係る操作パネルでは、操作バーがパネル天板１６の長手方向に動き、スイッチがONになる側がヒューズ５に隣接する側になるように断路器６が配置されている。
ヒューズカバー９は、断面形状がコの字型で、上下面が蓋で覆われており、パネル天板１６へヒンジ１７で取付けられる。ヒンジ１７はパネル天板１６の長手方向がヒューズカバー９の回転中心となるように取付けられている。図２に示す操作パネルの場合は、ヒューズカバー９を右に開いてヒューズを交換する。また、通電時は、ヒューズカバー９を閉じて、感電事故を防止する。
ロックカバー１３は、ヒューズカバー９より一回り大きく、図２に示すように、断面形状がコの字型で、ヒューズ５、及び、ヒューズカバー９に隣接する側に開口部を有し、反対側に鍔部を有する構造をとる。鍔部には左右にロックカバースライド溝１４、中央下端に断路器６の操作バーと接触する接触部１８が配置されている。ロックカバー１３は、ロックカバースライド溝１４を通して、ロックカバー取付けネジ１５でパネル天板１６に取付ける。操作バーと接触部１８が接触することで、断路器６とロックカバー１３が連動する構造になっている。
【００１３】
図２において、T1は、ヒューズカバーの高さであり、T2は、ロックカバーがヒューズカバーを覆う最大高さである。また、T3は、ロックカバーの鍔部におけるロックカバースライド溝１４の長さであり、T4は、断路器６をON-OFFと切り替える時の操作バーの移動量である。
ヒューズカバー９の取り付け位置とT1は、感電事故を防止するため、ヒューズ５、ヒューズ取付け金具７、ヒューズ締め付けボルト８を十分覆う位置、高さとする。T3とT4は、ほぼ等しい高さとするのが好ましい。ロックカバー１３は、接触部１８が断路器６の操作バーに接触する位置に配置する。ロックカバー１３のヒューズカバー９に対する位置、及び、T2は、断路器６をONにして、ロックカバー１３が最も上に移動した時に、ヒューズカバー９を十分ロックできる位置、高さとし、断路器６をOFFにして、ロックカバー１３が最も下に移動した時に、ヒューズカバー９とロックカバー１３が接触せず、ヒューズカバー９を開くことができる位置、高さとなるように設定する。
【００１４】
次に、図３を用いて、図２に示す本発明の具体例に係る操作パネルを用いたヒューズ交換手順を説明する。図３(a)は、通電時の操作パネルの外観図であり、図３(b)は、ヒューズ交換時の操作パネルの外観図である。
通電時は、図３(a)に示すように、ヒューズカバー９が閉じられており、ロックカバー１３が上にスライドし、ヒューズカバー９が開かないようにロックしている。ロックカバー取付けネジ１５は固く締められ、ロックカバー１３が移動しないように押えている。断路器６はONになって、ヒューズ、及び、負荷装置が給電されている。
図３(a)の状態から、ヒューズを交換する場合は、最初に、断路器６の操作バーを下げて、断路器６をOFFにする。次に、ロックカバー取付けネジ１５を緩め、ロックカバー１３を下にスライドさせる。次に、ヒューズカバー９を開いて、図３(b)の状態になる。
図３(b)の状態で、ヒューズ取り付けボルト８を緩め、ヒューズを取り外す。新しいヒューズを取り付け、ヒューズ取り付けボルト８を閉め、ヒューズカバー９を閉める。ロックカバー１３を上にスライドさせ、ヒューズカバー９をロックする。次に、ロックカバー取付けネジ１５を締めてから、断路器６の操作バーを上げて、断路器６をONにする。
【００１５】
本発明の特徴は、操作パネルに簡易なインターロック機構を備えたことに、電流分配装置のヒューズ交換をより安全に行えることである。ヒューズカバー９が開いている時は、ロックカバー１３の上部がヒューズカバー９の下部に接触するため（図３(b)）、断路器６を誤ってONにしようとしても、ロックカバー１３が上方に上がらないため断路器６をONにできない。また、通電時にヒューズカバー９が閉じ、断路器６をONにした状態では（図３(a)）、断路器６をOFFにしない限りロックカバー１３が下がらないため、ヒューズカバー９が開いてヒューズ５とヒューズ取付け金具７が露出することを防止することができる。
【００１６】
本発明に係る操作パネルの構造は、図２、図３に示す具体例の構造に限定されない。操作パネルが、少なくとも、ヒューズ、ヒューズを保護するヒューズカバー、ヒューズカバーをロックするロックカバー、ヒューズに対する給電を制御する断路器により構成されるパネルであり、ロックカバーと断路器が連動して前記したインターロックの機能を実現するものであれば、例えば、断路器はスライド式のスイッチでもよく、ヒューズカバーは左開きや上開きのカバーであってもよい。
【図面の簡単な説明】
【００１７】
【図１】電流分配装置の構成図である。
【図２】本発明による電流分配装置の操作パネルの外観図である。
【図３】(a)、(b)は、本発明の電流分配装置の操作パネルの外観図である。
【図４】従来の電流分配装置の操作パネルの外観図である。
【符号の説明】
【００１８】
１  電源装置
２  負荷装置
３  電流分配装置
４  換作パネル
５  ヒューズ
６  断路器
７  ヒューズ取付け金具
８  ヒューズ取付けボルト
９  ヒューズカバー
１０  ヒューズカバー取付けネジ
１１  断路器カバー
１２  断路器カバー取付けネジ
１３  ロックカバー
１４  ロックカバースライド溝
１５  ロックカバー取付けネジ
１６  パネル天板
１７  ヒンジ
１８  接触部 
【図１】
0004412611.tif 000002
【図２】
0004412611.tif 000003
【図３】
0004412611.tif 000004
【図４】
0004412611.tif 000005